(57)【要約】【課題】  本発明は、被写体に照明光と異変部抽出用励起光とを照射でき、被写体に存在する異変部を撮影できるカメラ装置を提供する。【解決手段】  一般に使用されるディジタルカメラのカメラ本体１の前面に、被写体を照明する照明光照射手段５と、被写体に存在する異変部を抽出できる波長を有する励起光を放射する励起光手段６とを設ける。スイッチＳＷ１で照明光照射手段と励起光照射手段の照射選択を、スイッチＳＷ２で各照射光量のバランスを調節する。カメラ受光部２に、励起光を排除するフィルタＦを設け、撮影画像中の異変部像を明確に写し出させる。照明光と励起光とを同時に又は一方を選択して照射し、撮影条件を選択でき、特別な技量を持たない一般人でも、被写体に存在する異変部を簡単に撮影できる。このカメラ機能は、他の銀塩式カメラ、ビデオカメラ、カメラ機能付携帯電話機にも適用できる。【選択図】      図２
2006122335.tif 000002
【特許請求の範囲】
【請求項１】
被写体を撮影するためのカメラ受光部と、
前記カメラ受光部近傍から前記被写体に照明光を照射する照明光照射手段と、
前記カメラ受光部の近傍から前記被写体を照射し異変部を抽出する波長の励起光を照射する励起光照射手段と、
を備えたカメラ装置。
【請求項２】
前記照明光照射手段と前記励起光照射手段は、前記被写体に対して前記照明光と前記励起光を同時に照射できることを特徴とする請求項１に記載のカメラ装置。
【請求項３】
前記照明光照射手段と前記励起光照射手段の少なくとも一方が照射光量を調節する光量調節手段を有することを特徴とする請求項２に記載のカメラ装置。
【請求項４】
前記カメラ受光部は、前記被写体から反射した前記励起光を排除するフィルタを有することを特徴とする請求項１乃至３のいずれか一項に記載のカメラ装置。
【請求項５】
前記フィルタは、前記カメラ受光部の前面に着脱自在に取り付けられることを特徴とする請求項４に記載のカメラ装置。
【請求項６】
前記励起光の波長は、４００±３０ｎｍの近紫外線領域、４７０±３０ｎｍの青色領域、７００±１００ｎｍの赤色領域、赤外線領域、又は、近赤外線領域から選択され、
前記フィルタは、前記選択された領域の波長以外の光を透過することを特徴とする請求項４又は５に記載のカメラ装置。
【請求項７】
前記照明光照射手段及び前記励起光照射手段は、ＬＥＤ、レーザダイオード、キセノンランプ、ハロゲンランプ、水銀ランプ、メタルハライドランプ、クリプトンランプ又はナトリウムランプのいずれかを含む発光手段からなる光源を有することを特徴とする請求項１乃至６のいずれか一項に記載のカメラ装置。
【請求項８】
前記励起光照射手段は、照射する光の波長が切り換えられることを特徴とする請求項７に記載のカメラ装置。
【請求項９】
前記励起光照射手段は、前記発光手段の中から選択された光源が放射する特定の光を透過する照射フィルタを有し、
前記照射フィルタは、前記励起光照射手段に着脱自在に装着されることを特徴とする請求項７に記載のカメラ装置。
【請求項１０】
前記励起光照射手段は、異なる複数の波長の光を発生する光源と、該光源を駆動して異なる波長の光を選択的に発生させる照射駆動手段とを有することを特徴とする請求項１乃至８のいずれか一項に記載のカメラ装置。
【請求項１１】
前記照明光照射手段及び前記励起光照射手段の各々は、複数の光源を含み、
前記複数の光源は、前記カメラ受光部の周囲にリング状に配置されることを特徴とする請求項１乃至１０のいずれか一項に記載のカメラ装置。
【請求項１２】
前記被写体からの反射光を受光するアタッチメント受光部と、前記カメラ受光部に着脱自在に装着できる装着部とを有し、該反射光を該カメラ受光部に導光するアタッチメント部材を備え、
前記照明光照射手段及び前記励起光照射手段が、前記アタッチメント受光部近傍に取り付けられていることを特徴とする請求項１乃至１０のいずれか一項に記載のカメラ装置。
【請求項１３】
前記照明光照射手段及び前記励起光照射手段の各々は、複数の光源を含み、
前記複数の光源は、前記アタッチメント受光部の周囲にリング状に配置されることを特徴とする請求項１２に記載のカメラ装置。
【請求項１４】
前記アタッチメント受光部は、前記カメラ受光部の軸方向と異なる方向に向けられることを特徴とする請求項１２又は１３に記載のカメラ装置。
【請求項１５】
前記励起光照射手段は、シャッター動作と連動して発光駆動されることを特徴とする請求項１乃至１４のいずれか一項に記載のカメラ装置。
【請求項１６】
前記照明光照射手段及び前記励起光照射手段は、シャッタースイッチの操作に連動して発光を連続的に駆動される請求項１乃至１４のいずれか一項に記載のカメラ装置。
【請求項１７】
前記照明光照射手段は、シャッタースイッチの第１操作で発光を連続的に駆動され、
前記励起光照射手段は、前記シャッタースイッチの第２操作で少なくとも一つ以上の励起光の発光を駆動されることを特徴とする請求項１乃至１４のいずれか一項に記載のカメラ装置。
【請求項１８】
シャッターが連続動作するとき、前記照明光照射手段及び前記励起光照射手段は、前記照明光と少なくとも一つ以上の前記励起光とを複数回自動的に照射することを特徴とする請求項１乃至１４のいずれか一項に記載のカメラ装置。
【請求項１９】
前記照明光照射手段及び前記励起光照射手段は、時分割制御により発光駆動されて、前記照明光と少なくとも一つ以上の前記励起光とを交互に照射することを特徴とする請求項１乃至１４のいずれか一項に記載のカメラ装置。
【請求項２０】
前記照明光照射手段及び前記励起光照射手段は、時分割制御により、前記照明光と前記励起光との同時照射と、前記照明光の単独照射とを交互に発光駆動され、
前記照明光と前記励起光との同時照射によって受像した画像と、前記照明光の単独照射によって受像した画像とが連続して個別に画像処理されることを特徴とする請求項１乃至１４のいずれか一項に記載のカメラ装置。
【請求項２１】
前記励起光照射手段は、口腔内の前記異変部を抽出できる波長を有する励起光を放射する光源を有することを特徴とする請求項１乃至２０のいずれか一項に記載のカメラ装置。
【請求項２２】
前記カメラ受光部は、銀塩式カメラ、ディジタルカメラ、ビデオカメラ、カメラ機能付携帯機器のいずれか一つに備えられていることを特徴とする請求項１乃至１９のいずれか一項に記載のカメラ装置。
【請求項２３】
前記カメラ受光部は、ディジタルカメラ、ビデオカメラ、カメラ機能付携帯機器のいずれか一つに備えられていることを特徴とする請求項２０又は２１に記載のカメラ装置。
【発明の詳細な説明】
【技術分野】
【０００１】
本発明は、通常の撮影機能を有する銀塩式カメラ、ディジタルカメラ、ビデオカメラ、カメラ機能付携帯機器などを利用して、被写体の異変部を抽出して撮影することができるカメラ装置に関し、特に、口腔内の被写体を照明する照明光と該被写体に発生した齲蝕などの異変部を抽出できる励起光とを照射でき、口腔内の異変部を簡単に撮影することができるカメラ装置に関する。
【背景技術】
【０００２】
従来から、例えば、歯科診療においては、歯科医は、歯牙の切削、歯垢や歯石の除去、治療箇所の洗浄、切削屑や唾液の回収など、口腔内の処置を行うことになっている。このとき、診療台等に別途設置された無影灯を点灯し、口腔内を照明したうえで、患部に対する診療作業が行われている。また、口腔以外の他の診察、或いは、治療においても、同様である。
【０００３】
しかし、患者の姿勢、治療部位、また、歯科医などの作業者の作業方向によっては、口腔内又は患部への照明が不足して、観察し難くなる場合も有り、その都度、無影灯の位置調整作業が必要になって、診療の作業性の低下を招いている。
【０００４】
そこで、近年においては、例えば、口腔内照明の不足による診療又は治療の作業性低下を改善した照明装置が種々開発されている。この照明装置の多くは、ハンドピースの内部に光源を設けて、診療の際に、口腔内を照明できるようにしたものである。
【０００５】
例えば、複数の発光ダイオード（ＬＥＤ）が、工具装着部に取り付けられる工具を囲むように配置されたコントラアングルタイプの歯科・医科用ハンドピースも開発されている。これらのＬＥＤにより、工具周辺の３６０度の広い範囲に亘って、診療中の患部を明るく無影照明できるようにしている。このハンドピースでは、複数のＬＥＤを点灯する電力は、ハンドピース本体内に配設された可撓性のリード線又はフレキシブル基板配線によって供給されている。
【０００６】
この様なハンドピースを用いると、診療中の患部を明るく無影照明できるが、その照明された患部が、治療すべき状態にあるのかどうかの判断が難しい場合がある。そこで、齲蝕、プラーク、細菌の感染、亀裂、歯石などの異変部に、ある特定波長の励起光を照射すると、蛍光を発生することを利用して、その異変部を検出できるようにした診断装置が開発されている（例えば、特許文献１乃至３を参照）。
【０００７】
もう少し詳しく説明すると、特許文献１には、３６０ｎｍ乃至５８０ｎｍの波長の励起光を、レーザやハロゲンランプとフィルタとを組み合わせて歯牙に照射して、齲蝕などから生じる蛍光を、フィルタを介して、肉眼やカメラで検出する構成が開示されている。また、特許文献２には、齲蝕部に照射すると蛍光を発する励起光を照射する診断用レーザと、検出評価装置及び表示装置とを組み合わせることが開示されており、その蛍光により齲蝕部位を確認するようにして、治療用レーザを齲蝕部に照射することにより診断と治療とを行えるようにした装置が開示されている。
【０００８】
また、特許文献３には、一般医科用の蛍光観察装置において、癌等の疾患のある臓器に最適な複数の励起光を選択的に照射できる励起光と観察用の白色光を照射できる内視鏡に蛍光を検出するカメラを備えた構成が開示されている。この特許文献３のものでは、蛍光検出フィルタを備える検出用アダプタをカメラに対して着脱自在にし、最適なフィルタに交換できる検出用カメラが用いられている。
【０００９】
更に、蛍光は、非常に微弱な光であるので、従来では、蛍光像のみを観察する時には、健全部位の画像が自然な色調で観察することが出来ず、異変部が健全部位のどの部位に、どのように分布しているかを判断し難かった。反対に、白色光のみを照射して観察すると、健全部位は、自然な色調で観察できるが、異変部からの蛍光は、白色光に埋もれて判別し難かった。
【００１０】
ここで、カメラの受光部にフィルタを組み込み、異変部の判別を容易にしたカメラ装置として、齲蝕、プラーク、細菌の感染、亀裂、歯石などの口腔内異変部に、或いは、臓器などの生体組織における異変部に、ある特定波長の励起光を照射すると、蛍光を発生することを利用して、その異変部から発生した蛍光による画像を撮影する蛍光観察装置が開発されている（例えば、特許文献４、５を参照）。
【００１１】
この蛍光観察装置では、口腔内異変部を観察する場合には、３００〜５５０ｎｍの波長を含む励起光をＬＥＤから歯に照射し、異変部から発生した蛍光を、その蛍光の波長域のみを透過するフィルタを介して受光している。ここでは、歯部分からの反射光の波長と異変部分からの反射光の波長との違いを、画像上で色合いの差として捕らえ、異変部の状態を観察でき、撮影できる。
【００１２】
一方、銀塩カメラやディジタルカメラなどのカメラ装置、或いは、カメラ機能付携帯電話機において、赤色、緑色及び青色の光を放出する複数のＬＥＤからなるＬＥＤ群をカメラ本体に備えて、このＬＥＤ群を撮影時の照明手段としての光源とすることが提案されている（例えば、特許文献６、７を参照）。特許文献６に開示されたカメラ装置では、ＭＰＵの制御によって、個々のＬＥＤを点灯及び消灯と、各発光量の調節とを可能にしている。ＭＰＵ制御により各ＬＥＤが選択的に点灯されることで、フィルタ効果を持たせることができ、ＬＥＤの発光個数を可変として、光量調節が行えるので、所望するフィルタを交換し、或いは、持ち歩く必要性を無くしている。
【００１３】
さらに、カメラ機能付携帯電話機において、撮影時の照明手段として、大容量のコンデンサを用いるストロボの代りに、白色光ＬＥＤを光源に使用することが知られている（例えば、特許文献８）。この携帯電話機では、白色光が被写体に照射されているとき、カメラのレンズを介して入光された光量を検出して、この検出した光量に応じて白色光ＬＥＤの発光ゲインが調整されるようになっている。
【００１４】
【特許文献１】特開平５−３３７１４２号公報
【特許文献２】特開平１０−３１４１９４号公報
【特許文献３】特開平１０−３２８１２９号公報
【特許文献４】特開２００４−８９２３８号公報
【特許文献５】特開平１０−３２８１２９号公報
【特許文献６】特開２００３−６６５１９号公報
【特許文献７】特開２００４−７１８０７号公報
【特許文献８】特開２００３−３３３４２０号公報
【発明の開示】
【発明が解決しようとする課題】
【００１５】
以上に説明した特許文献１乃至３に開示された診察装置や、特許文献４及び５に開示された蛍光観察装置などでは、励起光が照射された部位に、異変部が存在する場合、蛍光が生じていることを、肉眼で、又は、ＣＣＤセンサなどのカメラ機能で判断することができた。しかしながら、いずれの装置も、その異変部に対する診察又は観察のために特別に設計されたものであり、これらの装置は、医師、歯科医師などの専門作業者が取扱うものであって、専門作業者以外の一般人が扱えるものではない。
【００１６】
上述のような蛍光観察装置のように、励起光の照射により発生した蛍光像をカメラ機能の画像にして、異変部に対する診察又は観察を行なうことができることに着目して、一般に広く使用されている銀塩式カメラ、ディジタルカメラ、ビデオカメラや、カメラ機能付き携帯電話機などのカメラ装置に、異変部に係る蛍光像を撮影できるカメラ機能を搭載し、一般人でも、簡単に異変部の観察をできるような観察装置は存在しなかった。
【００１７】
この様な観察装置にすれば、従来使用されているカメラ装置に元々備わっている通常のカメラ機能に、異変部に係る蛍光像を撮影できるカメラ機能を組み込むだけですみ、観察装置として特別な設計とする必要が無い。一般人であっても、必要な時に、どの様な場所においても、例えば、齲蝕、プラーク、細菌の感染、亀裂、歯石などの口腔内異変部や、皮膚の異変部について、励起光による蛍光を受光した画像により観察でき、或いは、撮影できる。
【００１８】
ところで、特許文献６乃至８に示されたカメラ装置では、被写体を撮影するための照明光を照射することができる構成を備え、通常のカメラ機能を有しているだけである。そのため、被写体を単に撮影するに止まり、異変部を抽出できる波長の励起光を照射する構成が備えられていないので、被写体に存在する異変部に係る像を撮影することはできない。
【００１９】
そこで、本発明では、被写体を照明する照明光照射手段と、被写体に存在する異変部を抽出できる波長を有する励起光を放射する励起光手段との両方を、一般に広く使用されている銀塩式カメラ、ディジタルカメラ、ビデオカメラや、カメラ機能付き携帯電話機などのカメラ装置に設け、照明光照射手段と励起光照射手段の照射光量を調節できるようにして、被写体を照明する照明光と該被写体に発生した異変部を抽出できる励起光とを、同時に、或いは、一方を選択して照射し、特別な技量を持たない一般人であっても、被写体に存在する異変部を簡単に撮影でき、該異変部を明瞭に把握することができるカメラ装置を提供することを目的とする。
【課題を解決するための手段】
【００２０】
以上に説明した課題を解決するため、本発明のカメラ装置では、被写体を撮影するためのカメラ受光部と、前記カメラ受光部近傍から前記被写体に照明光を照射する照明光照射手段と、前記カメラ受光部の近傍から前記被写体を照射し異変部を抽出する波長の励起光を照射する励起光照射手段とを備えた。
【００２１】
そして、前記照明光照射手段と前記励起光照射手段は、前記被写体に対して前記照明光と前記励起光を同時に照射でき、前記照明光照射手段と前記励起光照射手段の少なくとも一方が照射光量を調節する光量調節手段を有している。
【００２２】
前記カメラ受光部は、前記被写体から反射した前記励起光を排除するフィルタを有し、さらには、該フィルタは、前記カメラ受光部の前面に着脱自在に取り付けられる。
【００２３】
前記励起光の波長は、４００±３０ｎｍの近紫外線領域、４７０±３０ｎｍの青色領域、７００±１００ｎｍの赤色領域、赤外線領域、又は、近赤外線領域から選択され、前記フィルタは、前記選択された領域の波長以外の光を透過するものである。
【００２４】
また、前記照明光照射手段及び前記励起光照射手段は、ＬＥＤ、レーザダイオード、キセノンランプ、ハロゲンランプ、水銀ランプ、メタルハライドランプ、クリプトンランプ又はナトリウムランプのいずれかを含む発光手段からなる光源を有している。
【００２５】
前記励起光照射手段は、照射する光の波長が切り換えられるものであり、前記発光手段の中から選択された光源が放射する特定の光を透過する照射フィルタを有し、該照射フィルタは、前記励起光照射手段に着脱自在に装着される。
【００２６】
前記励起光照射手段は、異なる複数の波長の光を発生する光源と、該光源を駆動して異なる波長の光を選択的に発生させる照射駆動手段とを有する。
【００２７】
また、前記照明光照射手段及び前記励起光照射手段の各々は、複数の光源を含み、前記複数の光源は、前記カメラ受光部の周囲にリング状に配置されている。
【００２８】
前記被写体からの反射光を受光するアタッチメント受光部と、前記カメラ受光部に着脱自在に装着できる装着部とを有し、該反射光を該カメラ受光部に導光するアタッチメント部材を備え、前記照明光照射手段及び前記励起光照射手段が、前記アタッチメント受光部近傍に取り付けられている。
【００２９】
また、前記照明光照射手段及び前記励起光照射手段の各々は、複数の光源を含み、さらには、前記複数の光源は、前記アタッチメント受光部の周囲にリング状に配置され、該アタッチメント受光部は、前記カメラ受光部の軸方向と異なる方向に向けられる。
【００３０】
前記励起光照射手段は、シャッター動作と連動して発光駆動され、或いは、前記照明光照射手段及び前記励起光照射手段は、シャッタースイッチの操作に連動して発光を連続的に駆動される。
【００３１】
そして、前記照明光照射手段は、シャッタースイッチの第１操作で発光を連続的に駆動され、前記励起光照射手段は、前記シャッタースイッチの第２操作で少なくとも一つ以上の励起光の発光を駆動される。
【００３２】
シャッターが連続動作するとき、前記照明光照射手段及び前記励起光照射手段は、前記照明光と少なくとも一つ以上の前記励起光とを複数回自動的に照射するようにし、或いは、前記照明光照射手段及び前記励起光照射手段は、時分割制御により発光駆動されて、前記照明光と少なくとも一つ以上の前記励起光とを交互に照射する。
【００３３】
また、前記照明光照射手段及び前記励起光照射手段は、時分割制御により、前記照明光と前記励起光との同時照射と、前記照明光の単独照射とを交互に発光駆動され、前記照明光と前記励起光との同時照射によって受像した画像と、前記照明光の単独照射によって受像した画像とが連続して個別に画像処理される。
【００３４】
前記励起光照射手段は、口腔内の前記異変部を抽出できる波長を有する励起光を放射する光源を有することを特徴とする。
【００３５】
前記カメラ受光部は、銀塩式カメラ、ディジタルカメラ、ビデオカメラ、カメラ機能付携帯機器のいずれか一つに備えられている。
【発明の効果】
【００３６】
以上のように、本発明のカメラ装置によれば、被写体を撮影するカメラ受光部近傍から、該被写体に照明光を照射する照明光照射手段と、該被写体を照射し異変部を抽出する励起光を照射する励起光照射手段とを備え、さらには、照明光照射手段と励起光照射手段は、被写体に対して照明光と励起光を同時に、或いは、一方を選択的に照射でき、該照明光照射手段と該励起光照射手段の少なくとも一方が照射光量を調節する光量調節手段を有して、被写体の撮影条件を簡単に選択できるので、この様なカメラ装置を、一般人が使用している銀塩式カメラ、ディジタルカメラ、ビデオカメラ、カメラ機能付携帯機器のいずれかにも、簡単に組み込むことができる。
【００３７】
また、従来の蛍光観察装置で得られる画像は、被写体における異変部自体の状況を現すだけで、当該異変部の周辺状況については、把握することができなかった。この様な状況において、異変部のみが画像に写し出されても、一般人のみならず、専門作業者であっても、例えば、歯のどの位置に、また、どのような状況になっているかを明確に判断することは難しかった。しかし、本発明のカメラ装置によれば、照明光と励起光とを同時照射を可能にし、さらに、各光の光量バランスを調節できるので、異変部に係る像に加えて、該異変部周辺の像も含めて観察でき、その画像を撮影することができる。
【００３８】
一般に広く使用されている銀塩式カメラや、ディジタルカメラなどでは、暗い場所にある被写体を撮影するときには、通常、カメラに搭載されているストロボ装置を発光させている。ところが、例えば、カメラで口腔内を撮影する場合には、カメラを口に近接させることになるため、このストロボ装置の発光量では、大きすぎて、撮影に適さず、しかも、異変部から蛍光が発生していても、この異変部の特徴は、ストロボ装置の光に埋もれてしまい、異変部の撮影は、困難となる。
【００３９】
しかし、本発明のカメラ装置によれば、従来のカメラに備えられたストロボ装置の代わりに、光量バランス調節された照明光照射手段と励起光照射手段とが、被写体を撮影するカメラ受光部近傍に備えられており、カメラ装置を当該被写体に向ければ、各照射手段もその方向に向き、適切な光量に調節された光が被写体に照射され、或いは、口腔内のように、暗く、深い場所であっても、照明光照射手段と励起光照射手段とを当該被写体に近づけるアタッチメント部材を装着できる構成としたので、被写体の環境条件に応じて、最適な状態で異変部を撮影することができる。
【００４０】
また、本発明のカメラ装置によれば、カメラ受光部の前面に、励起光を排除するフィルタを着脱自在に装着するようにしたので、例えば、被写体から反射される蛍光の像を強くするため、被写体に照射される励起光の光量を大きくした場合であっても、被写体から反射される励起光は、カメラ受光部でフィルタによってカットされるので、カメラ装置の撮影露出時間は、主として照明光の光量に依存することとなり、適切に撮影された被写体の画像の中に、蛍光による異変部の像がはっきりと写し出されることになる。
【発明を実施するための最良の形態】
【００４１】
口腔内の異変部について、励起光を口腔内に照射することにより、その励起光の作用による蛍光反射光を検出することで、口腔内に存在する異変部を抽出できることが知られているということは、既に述べた。ここで、本発明によるカメラ装置においても、励起光の照射により、口腔内に発生した齲蝕、プラーク、細菌の感染、亀裂、歯石などの異変部、或いは、皮膚に発生したニキビなど異変部を特徴的に抽出することを目的とし、一般のカメラにおける撮影機能を利用することにして、その異変部に係る画像を撮影して観察できるように工夫しているところから、本発明によるカメラ装置の実施形態を説明する前に、口腔内や皮膚等に発生した異変部を特徴的に抽出できる原理と、その共通的な適用の仕方の例について、図１５乃至図１７を参照して説明する。
【００４２】
始めに、図１５には、波長４０６ｎｍの励起光の照射に対する健康エナメル質と齲蝕エナメル質の蛍光発光状態を説明するグラフが示されている。歯に対して、特定の波長を有する励起光が照射されたときに、歯の状態に影響した蛍光反射波の様子が示されている。同図では、健康な歯のエナメル質の場合と、齲蝕された歯のエナメル質の場合とにおける、ｎｍ単位で表された波長に対する歯によって反射された放射線の相対値で表された放射線強度Ｉがプロットされている。入射放射線、つまり、励起光は、４０６ｎｍの波長を有する。
【００４３】
図１５のグラフから判るように、図示された夫々のカ−ブは互いに異なっている。特に、齲蝕された歯のエナメル質に対する反射光を示す放射線強度のカ−ブは、６３６ｎｍと６７３ｎｍと７００ｎｍの所で３つの大きな山となる強度を示している。これに対して健康なエナメル質は、波長が長くなるほど放射線強度は徐々に減少することが知られている。このように健康な歯のエナメル質と齲蝕された歯のエナメル質における特定波長の励起光に対する蛍光挙動の差異を利用すれば、齲蝕歯の定質的並びに定量的な診断を行うことができる。
【００４４】
また、図１６には、４８８ｎｍの波長による励起光の照射に対する健康エナメル質と齲蝕エナメル質の蛍光発光状態を説明するグラフが示されている。歯に対して、特定の波長を有する励起光が照射されたときに、歯の状態に影響した蛍光反射波の様子が示されている。図１６では、健康な歯のエナメル質の場合と、齲蝕された歯のエナメル質の場合とにおける、ｎｍ単位で表された波長に対する歯によって反射された放射線の相対値で表された放射線強度がプロットされている。この場合に照射した入射放射線、つまり、励起光は、４８８ｎｍの波長を有している。
【００４５】
図１６のグラフから判るように、図示された各々のカ−ブは互いに異なっているが、その異なり方は、図１５に示されたグラフと違っている。つまり、図１６のグラフでは健康エナメル質と齲蝕エナメル質の夫々の放射線強度カ−ブは、いずれも、励起光の波長付近でピークとなっているものの、そのピークの高さが異なっている。このことから、この健康な歯のエナメル質と齲蝕された歯のエナメル質における特定波長の励起光に対する蛍光反射強度の差異を利用すれば、齲蝕歯の定質的並びに定量的な観察を行うことができる。
【００４６】
この様な、健康エナメル質と齲蝕エナメル質とに照射された放射線に対する蛍光挙動の差異又は反射強度の違いを利用して、この蛍光反射光に基づいた画像として撮影することとにより、当該歯が健康であるか、又は、齲蝕されているかの判断を、齲蝕歯の定質的並びに定量的な観察に加えて、齲蝕の状態、形状をも表示可能である。
【００４７】
そこで、実際に、歯における異変部、例えば、齲蝕が存在し、或いは、歯石や歯垢が付着している歯牙に、上述した励起光を照射したときに撮影された画像の例を図１７に示した。図中では、例示として、口腔内の歯列が示され、代表的に、歯Ｔ１乃至Ｔ４からなる歯列が示されている。図１７の画像では、歯Ｔ２とＴ３に、齲蝕部位Ａ１、Ａ２が存在する場合を例示している。齲蝕部位Ａ１は、完全に齲蝕されて大きな穴状となっている場合（実線で図示）であり、齲蝕部位Ａ２は、歯内部が侵されている場合（破線で図示）である。
【００４８】
ここで、特定の波長を選択された励起光が照射されると、歯から蛍光反射光が発生する。齲蝕部位から発生する蛍光は、弱いので励起光をカットするフィルタを使用しないと蛍光部位を視認することが行いがたい。フィルタを使用せずに肉眼で齲蝕部位を見た場合には、齲蝕部位Ａ１はある程度の齲蝕が進んだ状態であれば判別できるが齲蝕部位Ａ２は、判別不能な場合が多い。このとき、図１５又は図１６のグラフに示されるように、健全部と齲蝕部とでは蛍光反射強度が異なるので、治療作業者が、この蛍光反射光を検出できるフィルタ機能を備えたメガネ又はゴーグルを使用して目視することができるが、撮影装置で励起光の照射部分を撮影すると、撮影画面上において、図１７で示す齲蝕部位Ａ１及びＡ２を他の健全部と区別して認識することができる。
【００４９】
歯に係る異変部として、例えば、齲蝕部位、軟化象牙質、歯石、歯垢、バイオフィルム、欠損、ひびなどが挙げられるが、これらの異変部に照射されたときに蛍光挙動の差異又は反射強度の違いを示す特定の波長としては、４０５±５０ｎｍの近紫外線領域、４７０±３０ｎｍの青色領域、７００±１００ｎｍの赤色領域、赤外線領域、又は、近赤外線領域の光が挙げられるがこれらの波長に限定されるわけではない。なお、赤外線領域、又は、近赤外線領域の光は、励起光として使用することもあるが、赤外線そのものの反射光を観察することも可能である。上記は、一例であり、本発明のカメラ装置に使用される励起光は、これに限定されるものではない。
【００５０】
これらの光は、ＬＥＤ（発光ダイオード）、ＬＤ（レーザダイオード）を含む半導体レーザ素子などの発光手段を使用することによって簡単に生成でき、これらの発光素子は、レンズ部を備えた発光素子モジュールに形成され、小型の光源として利用できる。ＬＥＤとしては、白色光ＬＥＤを使用してもよい。また、これら以外にも、励起光発光手段又は白色光発光手段として、ランプ光源、例えば、ハロゲンランプ、メタルハライドランプ、水銀ランプ、キセノンランプ、クリプトンランプ又はナトリウムランプなどによる白色光を含むブロードな波長を持つ光を利用することもできる。この時には、所定の波長を取出せる光学フィルタを組み合わせることで実現できる。
【００５１】
齲蝕部位には、例えば、上述の波長が４０５ｎｍの励起光を使用でき、齲蝕部位からの蛍光により検出可能であり、軟化象牙質についても、該励起光の照射による蛍光で検出できる。歯石、歯垢、バイオフィルムについても、励起光を照射すると、歯石、歯垢からの蛍光で検出が可能である。また、歯石や歯垢に関しては、付着状態が良く判るので、細部の形態がよくわかる赤外光を照射することにより、歯石や歯垢の存在を確認することができる。
【００５２】
歯石、歯垢、バイオフィルムの検出については、４００±３０ｎｍ、好ましくは、４０５ｎｍ或いは３７５ｎｍの光を照射すると、明確に区別でき、４５０ｎｍ以上の長波長を通過させる光学フィルタを介して撮影すれば、４００±３０ｎｍ、好ましくは、４０５ｎｍ或いは３７５ｎｍの照射された励起光がカットされ、より明瞭に撮影することができる。なお、このカットオフ波長は、一例であり、本発明のカメラ装置では、これに限定されるものではない。
【００５３】
また、緑色系の光を照射すると、欠損、ひびなどが、より明瞭に撮影できる。さらに、部位が異なると、光の反射の強度、吸収の度合いが異なるので、反射・吸収の差異が顕著な波長の光を照射して、その差異に基づいて撮影することにより、異変部を画像で確認することもできる。
【００５４】
なお、光学フィルタは、励起光を完全に排除するものでなく、制限するものであっても良い。蛍光だけであると、異変部の視認を行い易い反面、健全部を視認しづらくなるため、励起光の波長を含む領域の光も、ある程度存在していた方が、健全部を視認し易くできる。しかし、健全部を視認する場合には、これで十分であっても、健全部も明瞭に撮影しようとする場合には、カメラの撮影機能上、光量が不足することが有りえるので、白色光による照明を追加する方が良い。
【００５５】
また、この異変部の撮影の際に、蛍光反射光のみが検出され、撮影された画像においては、異変部の状況が浮き出て見え、周辺部分は暗く見える。そのため、異変部は、明確になるものの、他の健全部の状況は、把握できなくなり、しかも、当該異変部の正確な位置をも認識できないことになる。従って、本発明のカメラ装置には、周辺部分も明瞭に撮影できるようにするため、撮影するときに、被写体に向けて、白色光による照明をするようにした。
【００５６】
しかし、異変部に照射する励起光の波長が、可視光領域にある場合には、特に、蛍光反射光を検出するフィルタ機能を有する器具を使用しなくても、撮影された画像上では、異変部について、その周辺の色と異なる色で観察することができ、さらに、励起光の色に従って異変部周辺の状況をも把握することができる。カラー撮影でなく、モノクロ撮影の場合には、濃淡画像となるため、見難くなる。
【００５７】
また、励起光の透過を排除するフィルタ機能を備えると、撮影された画像においては、異変部からの蛍光反射光によって異変部の状況を認識でき、さらに、励起光のみを照射している場合には、励起光の照射に邪魔されずに、外部から口腔内に入る散乱光によって、異変部の周辺の状況を把握することができる。或いは、励起光と照明用の白色光との両方を照射している場合にも、異変部の状況を正確に把握でき、しかも、異変部の周辺も明るくなり、その状況を認識し易くなり、撮影する時の最適露出を得ることができる。
【００５８】
さらに、所定波長の光を放射する発光素子が一つだけ備えられていてもよいが、波長の異なる光を放射する複数の発光素子を備えておけば、切換スイッチの操作で発光素子の駆動を制御することにより、特定波長の励起光のみの選定照射、異なる波長の励起光への切換照射、或いは、照明光と励起光との切換照射などの照射パターンを実現することができる。照明光と励起光との切換照射の場合には、照明光と励起光との時分割の点灯制御によって、口腔内の照明と、異変部の抽出とを同時に行うことができる。
【００５９】
なお、以上では、主に、口腔内における異変部を撮影する場合の例を説明したが、特定の波長を有する励起光を被写体に照射すると、その励起光の作用によって蛍光反射光を放出する現象があれば、口腔内の被写体に限られず、他の被写体に励起光が照射されているときに、該被写体を撮影することにより、異変部を特徴的に抽出された画像を取得することができる。
【００６０】
例えば、人体の皮膚上にできたニキビなどの場合には、アクネ菌の存在により、励起光が照射されると、蛍光を発生するので、その蛍光を撮影することにより、当該ニキビを画像で観察することができる。この様に、励起光の照射によって、蛍光を発生する場合には、以上の説明による手法を、広く適用可能である。
【００６１】
次に、本発明によるカメラ装置の実施形態について、図１乃至図１４を参照しながら説明する。本発明によるカメラ装置は、一般に広く使用されているカメラ、例えば、銀塩又はディジタルカメラ、ビデオカメラ、ディジタルカメラ機能を搭載した携帯電話機などの携帯端末機における撮影機能を利用するものとし、それらのカメラ装置の本体部分におけるカメラ受光部の近傍に、照明光照射手段と励起光照射手段とを設け、被写体を撮影に適した光量に調節された照明光を照射しつつ、励起光をも照射した被写体を撮影できるようにすると、該被写体に係る画像を取得できるとともに、該被写体の画像中に、存在する異変部をはっきりと写し出すことができるようにした。
【００６２】
本発明によるカメラ装置の実施形態に関する具体例を、実施例１乃至３に分けて説明する。実施例１は、銀塩式カメラ、ディジタルカメラ、ビデオカメラに適用される場合である。実施例２は、カメラ機能付携帯電話機に適用される場合である。そして、実施例３は、上記の種々な実施例に組み込むことができる光量調整手段を示す。各実施例において、具体例が示される。
【実施例１】
【００６３】
実施例１においては、一般に広く使用されている種々のスチールカメラに応用される場合について説明される。これらのスチールカメラは、元々、昼間であれば、太陽光による自然光を利用し、或いは、夜間又は暗所であれば、ストロボ発光を利用して、被写体を撮影することを目的として、撮影機能を備えたカメラ受光部を備えたものであるが、例えば、口腔内の異変部を特徴的に抽出できる画像を撮影できるようには構成されていない。
【００６４】
そこで、実施例１では、この既存のスチールカメラにおける撮影機能を利用し、口腔内の異変部を特徴的に抽出できる画像を撮影できるように、被写体を照明する照明光照射手段と、異変部が存在すると思われる被写体に励起光を照射できる励起光照射手段と、励起光を排除するフィルタとを備えたカメラ装置とし、該フィルタが、被写体を撮影するカメラ受光部の前面に位置するように着脱自在に装着できる構成とした。
【００６５】
図１に、実施例１のカメラ装置に係る具体例１が示されている。図１に示された具体例１は、銀塩式カメラに応用した場合であって、カメラの外観図が示されている。通常、一般の銀塩式カメラには、カメラ本体１の前面に、被写体を撮影するためのレンズ系を含むカメラ受光部２と、ユーザが撮影時に使用するファインダー３とが設けられている。さらに、カメラ受光部２の近傍に、夜間又は暗所での撮影に使用される白色発光ストロボ装置５も設けられている。そして、カメラ本体１の上面には、シャッターボタン４が備えられる。
【００６６】
具体例１のカメラ装置では、口腔内の異変部を特徴的に抽出できる画像を撮影できるように、異変部が存在すると思われる被写体に励起光を照射できる励起光照射手段として、青色発光ストロボ装置６が、照明光照射手段として機能する白色発光ストロボ装置５に隣接して設けられている。そして、励起光を排除するフィルタＦが、被写体を撮影するカメラ受光部２の前面に着脱自在に装着される。
【００６７】
カメラ本体１の上面においては、光源選択スイッチＳＷ１と光量調節スイッチＳＷ２が配置される。これらのスイッチは、必ずしもカメラ本体１の上面に配置される必要はなく、ユーザの利便性を考慮して、カメラ本体１の他の面に配置されても良い。光源選択スイッチＳＷ１は、青色発光ストロボ装置６のオン・オフを切り換えるものでも、或いは、照明光の単独照射モード、励起光の単独照射モード、又は、照明光及び励起光の双方照射モードを切り換えるものでも良い。
【００６８】
光量調節スイッチＳＷ２は、光源選択スイッチＳＷ１の切り換え操作に対応して、白色発光ストロボ装置５と青色発光ストロボ装置６の発光光量をユーザが調節できるようにしたものである。青色発光ストロボ装置６の発光光量は、励起光による蛍光の状況を見て、撮影画像の濃さを考慮して調節される。通常、スチールカメラには、自動露出制御機能が搭載されているため、この光量調節スイッチＳＷ２が操作されるときには、この自動露出制御機能を解除するようにしても良い。また、例えば、口腔内の異変部を撮影しようとする場合には、近接撮影することになるので、通常に設定されている白色発光ストロボ装置５のガイドナンバーでは、大きすぎるため、この発光光量を撮影に適した光量となるように減少させることもできる。
【００６９】
図１の具体例１では、白色発光ストロボ装置５と青色発光ストロボ装置６と併用の場合であったが、青色発光ストロボ装置６の代りに、例えば、赤色など、他の色の発光ストロボ装置とすることもでき、或いは、照明光照射手段として、励起光を放射できるＬＥＤなどの発光素子を用いることもできる。
【００７０】
図１の具体例１は、本発明のカメラ装置を銀塩式カメラに適用した場合であったが、本発明のカメラ装置をディジタルカメラに適用した場合が、具体例２として図２に示される。図２には、そのカメラの外観図が示されている。通常、ディジタルカメラには、図１に示された銀塩式カメラの構成と同様に、カメラ本体１の前面に、被写体をディジタル撮影するためのレンズ系を含むカメラ受光部２と、ユーザが撮影時に使用するファインダー３とが設けられている。そして、励起光を排除するフィルタＦが、被写体を撮影するカメラ受光部２の前面に着脱自在に装着される。
【００７１】
図１に示された具体例１の場合と異なるところは、図２に示された具体例２では、照明光照射手段としての白色ＬＥＤ照射手段７と、励起光照射手段としての青色発光ＬＥＤ照射手段とが設けられていることである。光源選択スイッチＳＷ１と光量調節スイッチＳＷ２は、具体例１における各スイッチと同様の機能を持っている。
【００７２】
これまでに説明した実施例１に係る具体例１及び２のカメラ装置は、カメラのカメラ受光部の前方に向けて、被写体に光を照射し、その被写体を撮影するというものであるが、カメラ受光部の先端が、被写体とある程度離れている。そのため、カメラ装置に設けられた照明光照射手段と励起光照射手段は、被写体から離れた位置から光を放射することになり、各照射手段の発光光量を大きくしなければならず、また、場合によっては、照射強度が不足することがあった。
【００７３】
そこで、図３（ａ）及び（ｂ）に、具体例３として、通常のスチールカメラのカメラ受光部に着脱自在に装着可能なアタッチメント部材９が示されている。図３（ａ）は、アタッチメント部材９の先端部分の拡大図を表し、図３（ｂ）は、アタッチメント部材９の軸方向縦断面図を示している。このアタッチメント部材９は、その一端に、アタッチメント受光部９１を、そして、その反対側の他端には、カメラ受光部２に着脱自在に装着できるアタッチメント装着部９２を備えている。
【００７４】
図３（ａ）及び（ｂ）に示されるように、アタッチメント受光部９１は、アタッチメント部材９の軸に対して異なった方向に向けられている。図では、直角方向に向いた例が示されているが、このアタッチメント受光部９１が、軸方向に向いていても良い。アタッチメント受光部９１の先端部には、照明光照射手段としての光源となる白色光ＬＥＤの発光素子Ｌ１と、励起光照射手段としての青色発光ＬＥＤの発光素子Ｌ２とが、受光面を囲むように、先端部の周縁に複数配置されている。アタッチメント受光部９１の受光面には、励起光を排除するフィルタＦが着脱自在に装着される。
【００７５】
なお、発光素子Ｌ１及びＬ２には、ＬＥＤの他に、レーザダイオード、キセノンランプ、ハロゲンランプ、水銀ランプ、メタルハライドランプ、クリプトンランプ又はナトリウムランプのいずれかを含む光源を用いることができ、発光素子Ｌ２には、互いにことなる波長を持つ励起光を放射する光源を用いることもでき、照射フィルタの選択により、特定の波長を有する励起光を放射するようにすることもできる。
【００７６】
図３（ｂ）に示されるように、アタッチメント部材９の内部において、アタッチメント装着部９２の近傍に、アタッチメントレンズ２７が、そして、アタッチメント受光部９１の近傍に、プリズム９４が配設されており、カメラによる近接撮影が可能となっている。そのため、例えば、口腔内の奥まで、アタッチメント部材９を挿入して、光を歯の近くで照射でき、奥歯などの近接撮影が簡単に行え、異変部の抽出を容易にしている。
【００７７】
図４には、通常のカメラ、例えば、銀塩式カメラ、ディジタルカメラなどに、具体例３のアタッチメント部材９を装着した状態が示されている。このアタッチメント部材９の受光部に備えられた発光素子Ｌ１とＬ２は、具体例１及び２における照明光照射手段と励起光照射手段の機能を有するものであり、カメラ本体１に設けられた光源選択スイッチＳＷ１と光量調節スイッチＳＷ２も、具体例１及び２の場合と同様の操作で、発光素子Ｌ１及びＬ２が選択点灯され、それらの光量も調節される。
【００７８】
アタッチメント部材９のアタッチメント受光部９１の向きが、図示のように、アタッチメント部材９の軸方向に対して傾いている場合には、アタッチメント装着部９２において、アタッチメント部材９の本体自体をカメラ本体に対して回転自在に設けておくと、ユーザがカメラ装置を使用して、例えば、口腔内の上側を撮影したい時、又は、下側を撮影したい時などに対応して、カメラ本体自体を回転させることなく、アタッチメント受光部９２の向きを変更することができ、安定した姿勢で、口腔内の撮影が可能となる。
【００７９】
図５には、本発明のカメラ装置を、ビデオカメラに適用した具体例４が示されている。具体例１及び２では、照明光照射手段と励起光照射手段とが、カメラ本体１の前面において、カメラ受光部２の近傍に配置されていた。ところが、通常使用されているビデオカメラに、本発明のカメラ装置を組み込む場合、ビデオカメラの前面部分には、照明光照射手段と励起光照射手段とを配置するスペースがない。そのため、具体例４のカメラ装置の場合には、具体例３のアタッチメント受光部のように、受光面に照明光照射手段と励起光照射手段とを配置するようにした。
【００８０】
図５に示されるように、ビデオカメラ本体２１の前面にあるカメラ受光部２２の先端部周縁において、アタッチメント受光部９１の場合と同様に、照明光照射手段としての白色発光ＬＥＤの発光素子Ｌ１と、励起光照射手段としての青色発光ＬＥＤの発光素子Ｌ２とが配置される。
【００８１】
これらの発光素子Ｌ１とＬ２とは、具体例１及び２のように、光源選択スイッチＳＷ１で選択点灯されるようにしても良いが、図５に示された具体例４の場合には、光源選択スイッチＳＷ１１で、発光素子Ｌ１の点灯駆動が制御され、また、光源選択スイッチＳＷ１２で、発光素子Ｌ２の点灯駆動が制御されるようにして、発光素子Ｌ１とＬ２が個別に点灯制御されるようにしてもよい。具体例４における光量調節スイッチＳＷ２は、具体例１及び２の光量調節スイッチＳＷ２と同様に機能する。
【００８２】
なお、図５に示された具体例４の場合でも、図３及び図４に示したアタッチメント部材９の形態を取り入れることができる。この場合には、発光素子Ｌ１及びＬ２が、カメラ受光部２２の先端部に配置される代りに、これらの発光素子Ｌ１及びＬ２は、具体例３と同様に、アタッチメント受光部９２の先端部に配置される。
【実施例２】
【００８３】
実施例１では、通常に使用されているカメラ、例えば、銀塩式カメラ、ディジタルカメラ、ビデオカメラに、照明光照射手段と励起光照射手段を設け、受光部に励起光を排除するフィルタを備えたが、実施例２の場合には、異変部を特徴的に抽出する撮影機能を、ビディジタルカメラ搭載の携帯電話機の撮影機能を利用することとし、照明光照射手段と励起光照射手段とが、そのディジタルカメラの受光部近傍に設けられる。
【００８４】
図６に、カメラ機能付携帯電話機３１に本発明のカメラ装置を適用した具体例５が示されている。具体例５では、携帯電話機３１の表示側本体３１−１の表示部と反対側面において、照明光照射手段としての白色ＬＥＤの発光素子Ｌ１と、励起光照射手段としての励起光ＬＥＤの発光素子Ｌ２とが、カメラ受光部３２を取り囲むように配置される。そして、カメラ受光部３２の前面には、励起光を排除するフィルタＦが着脱自在に装着される。
【００８５】
図６に示されるように、発光素子Ｌ１とＬ２は、押しボタン方式による光源選択スイッチＳＷ１の操作によって、オン・オフが切り換えられるようにしても良く、この光源選択スイッチＳＷ１の代りに、具体例１乃至４の光源選択スイッチとすることもできる。光量調節スイッチＳＷ２は、他の具体例における光量調節スイッチと同様のものとすることができる。
【００８６】
図６では、ユーザが自分自身の口腔内を撮影する様子が示されている。携帯電話機３１の表示側本体３１−１と操作側本体３１−２を開いた状態で、表示側本体３１−１のカメラ受光部３２を自身の口腔に向け、光源選択スイッチＳＷ１と、光量調節スイッチＳＷ２とを操作した後、操作側本体３１−２における撮影ボタンを押すことにより、自身の口腔内を撮影できる。そして、撮影された画像は、携帯電話機３１に内蔵されたメモリに記憶され、携帯電話機に備えられた表示画面に、撮影画像を表示させ、抽出された異変部の画像を見ることができる。さらには、記録された撮影画面を、歯科医師の元にメール送信することができ、その送信された画像に基づいて診断を受けることもできる。
【００８７】
次に、図７には、図６に示した具体例５のカメラ機能付携帯電話機とは異なるタイプのカメラ機能付携帯電話機に適用した具体例６が示されている。具体例５では、表示側本体３１−１と操作側本体３１−２とを開いた状態で、カメラ機能を利用したが、具体例６の場合には、カメラ機能を利用する撮影用のシャッターボタン３４が、携帯電話機３１の側面に設けられているため、携帯電話として使用しない、閉じた状態のままでも、カメラ機能付携帯電話機を普通のディジタルカメラのようにして使用できる。
【００８８】
具体例６のカメラ機能付携帯電話機においても、具体例５の場合と同様に、携帯電話機３１の表示側本体３１−１の表示部と反対側面において、照明光照射手段としての白色ＬＥＤの発光素子Ｌ１と、励起光照射手段としての励起光ＬＥＤの発光素子Ｌ２とが、カメラ受光部３２の近傍に配置される。そして、カメラ受光部３２の前面には、励起光を排除するフィルタＦが着脱自在に装着されるようになっている。
【００８９】
具体例６における発光素子Ｌ１及びＬ２の配置の仕方が、具体例５の場合と異なり、複数の発光素子Ｌ１と複数の発光素子Ｌ２とが、カメラ受光部３２の周囲を取り囲むように配置されるのではなく、これらの発光素子群が、カメラ受光部３２の近傍に纏めて配置されている。具体例３乃至５に係るカメラ装置では、複数の発光素子をカメラ受光部の周囲に配置することにより、口腔内への光の照射を均一化することができた。
【００９０】
図７に示された具体例６では、照明光照射手段として３個の発光素子Ｌ１が、そして、励起光照射手段として３個の発光素子Ｌ２が、夫々一列に配置されている。これらの発光素子の一群に配置し、各発光素子の指向を調整することにより、特定方向に光を集めることができ、光の照射を部分的に強くできる。また、この様な配置は、カメラ受光部３２の周囲部分に、複数の発光素子を配置する余裕がない場合には、空いている部分を使用することができて、有利な仕方である。
【００９１】
具体例６のカメラ機能付携帯電話機による口腔内の撮影の仕方は、各スイッチの操作に関しては、具体例５の場合と同様であるが、表示側本体３１−１と操作側本体３１−２を閉じたままで、例えば、具体例２に係るディジタルカメラの場合と同様に、カメラ受光部３２を口腔内の所望の箇所に向ける。そうすると、光の照射方向が、カメラ受光部３２の光軸と同方向に設定されているので、照明光と励起光とが、口腔内の所望箇所を照射することになり、そこで、シャッターボタン３４を操作すれば、狙った口腔内に存在する異変部を明瞭に撮影することができる。撮影後の画像の取り扱いは、具体例５のカメラ機能付携帯電話機の場合と同様である。
【実施例３】
【００９２】
次に説明する実施例３では、上述した実施例１及び２の各具体例に示された複数の発光素子を備えたカメラ装置に組み込むことが可能であり、照明光照射手段及び励起光照射手段に対する点灯制御を実現する回路構成が具体例７乃至１０として示される。これらの具体例を説明する前に、具体例２乃至６に示されたカメラ装置における照明光と励起光の照射制御を実現する共通的な制御システムについて説明する。
【００９３】
図８に、本発明によるカメラ装置をディジタルカメラに適用した場合における照明光照射手段及び励起光照射手段の点灯制御を行う制御システムのブロック構成が示される。この制御システムは、撮影手段１０１、制御部１０２、点灯回路１０３、照射手段１０４、操作部１０５、メモリ１０６、そして、表示部１０７を備えている。
【００９４】
撮影手段１０１には、例えば、被写体である口腔内からの光を受光するカメラ受光部と、このカメラ受光部で受光した光が検出する検出素子であるＣＣＤとが含まれ、ＣＣＤは、制御部１０２から指示されるシャッター時間に従って、受光した光に係る検出信号を制御部１０２に出力する。
【００９５】
制御部１０２は、制御システムの全体を制御できるマイクロ・プロセッサ・ユニット（ＭＰＵ）を含んでおり、点灯回路１０３の点灯制御、メモリ１０６の記憶管理、表示部１０７の表示制御を行っている。制御部１０２は、撮影手段１０１から送信された被写体に係る検出信号に基づいて、被写体に係る撮影画像が処理され、処理された撮影画像データをメモリ１０６に格納する。
【００９６】
そして、記憶した撮影画像を、表示部１０７に自動的に表示するか、或いは、図示されていないが、ユーザが指示する表示ボタンの操作に従って、メモリ１０６から撮影画像データを読み出し、表示部１０７に当該撮影画像を表示することができる。カメラ装置が、カメラ機能付携帯電話に適用された場合には、表示ボタンの操作で、該当撮影画像データをメモリ１０６から読み出し、図示されていない送信ボタンの操作で、特定の送信先、例えば、歯科医師の元に該データをメール送信することもできる。
【００９７】
一方、操作部１０５は、少なくとも光源選択スイッチＳＷ１と、光量調節スイッチＳＷ２と、シャッターボタンに連動するシャッタースイッチＳＷ３と、光源点灯スイッチＳＷ４を含み、該光源点灯スイッチＳＷ４は、点灯回路１０３をオン・オフ駆動する電源スイッチである。
【００９８】
制御部１０２は、ユーザによる光源選択スイッチＳＷ１、光量調節スイッチＳＷ２、シャッタースイッチＳＷ３の操作に従って指示され、点灯回路１０３の点灯制御を実行する。点灯回路１０７は、制御部１０２の点灯制御に従って、照射手段１０４に含まれる照明光光源である発光素子Ｌ１と励起光光源である発光素子Ｌ２とを選択的駆動し、或いは、光量を調節して点灯し、照明光及び励起光が被写体に向けて放射される。
【００９９】
なお、図８の制御システムは、ディジタルカメラに適用される場合としたが、ディジタルビデオカメラ、カメラ機能付携帯電話機などにも、同様の制御システムを適用することができる。また、銀塩式カメラの場合は、ディジタルカメラのように、画像処理を行われず、撮影手段１０１が、銀塩フィルムに置き換わるので、図８に示された制御システムを銀塩式カメラに適用するときには、画像処理を除いた制御部１０２、点灯回路１０３、照射手段１０４、そして、操作部１０５を備えるようにする。この制御システムが銀塩式カメラに適用された場合でも、点灯回路１０３が、ユーザの操作部１０５の操作に従って、制御部１０２により点灯制御されることは、ディジタルカメラの場合と同様である。
【０１００】
次に、以上のような制御システムが組み込まれたカメラ装置を使用して、被写体の異変部を撮影するときの操作及び処理の手順について、図９及び図１０のフローチャートを参照し、説明する。図９のフローチャートは、カメラ装置に搭載された照明光照射手段及び励起光照射手段の点灯駆動の後に、シャッター動作させて被写体を撮影する場合であり、また、図１０のフローチャートは、搭載された照明光照射手段及び励起光照射手段の点灯駆動をシャッター動作と連動させて被写体を撮影する場合である。これらの場合を選択できるように、モード選択設定できるようにする。
【０１０１】
図９に示されるように、照明光照射手段及び励起光照射手段の点灯駆動の後に被写体が撮影される場合には、先ず、照射手段１０４の照明光光源と励起光光源とが所望の状態で点灯されるように、光源選択スイッチＳＷ１と光量調節スイッチＳＷ２とがユーザによって操作される（ステップＳ１）。このとき、光源選択スイッチＳＷ１が操作されたとき、光源の発光光量については、制御部１０２におけるプログラムで自動設定されるようにしても良い。通常、ディジタルカメラには、自動露出制御機能を備えているので、この機能を利用できる。
【０１０２】
次いで、光源点灯のための設定を終了した後に、ユーザが光源点灯スイッチＳＷ４をオン操作すると、点灯回路１０３は、設定された条件に従って、照射手段１０４の照射光光源と励起光光源を点灯する（ステップＳ２）。そこで、ユーザは、照射光光源と励起光光源が点灯された後に、カメラ装置を被写体に向けて、照明光と励起光とを照射する（ステップＳ３）。
【０１０３】
その後、ユーザは、例えば、口腔内を照明光と励起光とを照射しながら、ファインダー３の画像により、或いは、表示部１０７の表示画像に基づいて、被写体の様子を観察する。そして、ユーザが、被写体に異変部があることを見出し、これを撮影しておきたいと所望するときには、シャッターボタン４を押し、該ボタンに設けられたシャッタースイッチＳＷ３がオン操作される（ステップＳ４）。
【０１０４】
シャッタースイッチＳＷ３がオン操作されると、カメラ装置のシャッターが作動し（ステップＳ５）、口腔内の所望する箇所の被写体が撮影される（ステップＳ６）。ここで、銀塩式カメラの場合には、被写体の像が銀塩フィルムに投射されるが、ディジタルカメラの場合、制御部１０２は、撮影手段１０１から異変部が存在する被写体の撮影データを取得し、この撮影データを画像処理してメモリ１０６に記録する。これで、被写体の撮影が完了する。なお、照明光光源と励起光光源の点灯は、撮影後に、手動で消灯されても、また、シャッタースイッチＳＷ３がオン操作されてから、所定時間後に自動消灯するようにしても良い。
【０１０５】
次に、図１０に示されるように、搭載された照明光照射手段及び励起光照射手段の点灯駆動をシャッター動作と連動させて被写体を撮影する場合には、先ず、ユーザの所望する撮影したい被写体が見出せたとき、カメラ受光部を当該被写体に向ける（ステップＳ１１）。
【０１０６】
そこで、ユーザが、シャッターボタン４を押し、シャッタースイッチＳＷ３がオン操作される（ステップＳ１２）。シャッタースイッチＳＷ３がオンになったとき、シャッターも作動するが（ステップＳ１３）、このシャッタースイッチＳＷ３のオンと同時に、制御部１０２が点灯回路１０３の点灯制御を行う（ステップＳ１５）。この点灯制御は、予め、操作部１０５の各スイッチの操作による設定に従って実行され、シャッターの作動と同期して、照明光と励起光の放射がなされる。
【０１０７】
シャッターが作動すると、口腔内の所望する箇所の被写体が撮影される（ステップＳ１４）。ここで、銀塩式カメラの場合には、被写体の像が銀塩フィルムに投射される。ディジタルカメラの場合には、図９のモードの場合と同様に、制御部１０２は、撮影手段１０１から異変部が存在する被写体の撮影データを取得し、この撮影データを画像処理してメモリ１０６に記録する。以上で、被写体の撮影が完了する。なお、図１０のモードの場合には、照明光光源と励起光光源は、撮影後に、手動で消灯されても良いが、シャッタースイッチＳＷ３がオン操作されてから所定時間後に、自動消灯する設定にしておくと都合が良い。
【０１０８】
以上に説明した被写体撮影の処理手順では、被写体の撮影は、１回のシャッター動作で、１枚の被写体画像を取得していたが、１回の撮影時に、複数のシャッター動作を自動的に実行し、複数枚の被写体画像を取得することもできる。この場合には、照明光の連続照射と、シャッターの連続動作に同期させて、互いに異なる複数の波長を持つ励起光の夫々を連続的に自動照射する。この様にして、被写体を撮影することにより、被写体に存在した、異なる種類の異変部を画像毎に映し出すことができ、また、同じ種類の異変部であっても、異なる波長の励起光に対して反射蛍光を発生する場合には、当該異変部が画像毎に打ちし出されて、異変部の種類、状態を特定し易くなる。
【０１０９】
また、シャッターの連続動作に同期して、制御部１０２が、照明光光源と励起光光源とを時分割制御して、点灯駆動することにより、照明光と励起光との同時照射と、照明光の単独照射とを交互に実行することができる。このとき、制御部１０２は、照明光と励起光との同時照射によって受像した画像と、照明光の単独照射によって受像した画像とを連続して個別に画像処理し、個別の画像としてメモリ１０６に記憶する。この様にすると、ほぼ同一撮影位置において、普通の照明による画像と励起光による画像の両画像が得られる。両画像がずれていないので、普通の状態で撮影された被写体の画像が得られるとともに、普通の状態の被写体像に、異変部に係る像が重ね合わされた画像も得られる。そのため、これらの画像を比較することにより、被写体に係る異変部の存在を認識し易くすることができる。
【０１１０】
また、図１０に示された被写体の撮影処理手順においては、シャッターボタンが押されると同時に、光源が点灯されるようにしたが、この変形例として、シャッターボタンを２段階押圧可能なタイプにしておき、シャッタースイッチＳＷ３もこのボタンの各段階に対応して、第１操作と第２操作がなされるようにする。そこで、照明光光源は、シャッタースイッチＳＷ３の第１操作で発光を連続的に駆動され、励起光光源は、シャッタースイッチＳＷ３の第２操作で少なくとも一種類以上の波長の励起光を連続して発光駆動される。
【０１１１】
この様な光源の点灯制御を行うことにより、例えば、シャッターボタンを軽く押圧して、口腔内を照明光で照射しながら、カメラ装置のファインダーを覗き、所望する被写体がファインダーの画像範囲に登場したときに、シャッターボタンをさらに深く押圧すると、シャッターが作動して被写体を撮影することができる。そのため、カメラ装置の撮影時の操作性、利便性が向上する。
【０１１２】
次に、図８の制御システムにおける点灯制御の具体的な回路構成について、以下に説明する。図１１には、上述した各具体例に適用することができ、照明光と励起光とを同時に照射し、照明光と励起光との光量バランスを、光量調整手段となる可変抵抗器の調節によって行う具体例７の電気回路が示される。可変抵抗器Ｒ１は、照明光光源となる白色光発光素子Ｌ１（ＬＥＤ）の光量調節用であり、可変抵抗器Ｒ２は、励起光光源となる励起光発光素子Ｌ２（ＬＥＤ）の光量調節用である。ユーザがこれらの可変抵抗器Ｒ１、Ｒ２を操作すると、発光素子Ｌ１、Ｌ２に流れる電流量が調節され、それぞれの発光素子の光量が調節される。
【０１１３】
各可変抵抗器Ｒ１、Ｒ２を調節することによって、照明光と励起光を同時に照射しつつ、照明光と励起光の光量バランスを切り換えることができる。なお、ここで、各発光素子Ｌ１、Ｌ２の光量調節用の可変抵抗器Ｒ１、Ｒ２を操作して、各発光素子の光量が０になるまで調整することにより、同時照射モードに加えて、照明光のみの照射モード、或いは、励起光のみの照射モードの選択も可能となり、これらのモード選択手段を構成することができる。
【０１１４】
また、工場出荷時に各発光素子Ｌ１、Ｌ２の光量調節用の可変抵抗器Ｒ１、Ｒ２を操作して、最適設定による照射モードを持つように固定して出荷することもできる。望ましくは、照明光の白色光は、励起光の光量より少ない設定にすることで、照明光のなかに蛍光が埋没することが避けられ、かつ、異変部と異変部周辺の正常部分とを両方同時に視認できる。このような光量設定を工場出荷時の初期設定とすることが望ましい。
【０１１５】
なお、具体例７では、照明光として白色光を使用する例を示したが、照明光としては、必要に応じて赤っぽい色や黄色っぽい色を使用しても良い。特に、照明光として白色光を用いると、病変部周辺の正常組織が自然な色調で視認でき、なお且つ、病変部が明瞭に視認できる。
【０１１６】
また、上述の各可変抵抗器を調節することによって、照明光と励起光を同時に照射しつつ、照明光と励起光の光量バランスを切り換えることができる。この照明光と励起光の光量バランスの切り換えによって、病変部の視認のし易さと、病変部以外の正常組織の自然な色調での視認のし易さとを調節することができる。
【０１１７】
図１２には、実施例３の具体例７とは異なる具体例８による電気回路が示される。具体例８に係る調整手段では、工場出荷時において、最適設定の初期設定を行い、且つ、ユーザにおいても任意に光量調節用の可変抵抗器を操作することにより、照明光光源となる白色光発光素子Ｌ１（ＬＥＤ）と、励起光光源となる発光素子Ｌ２（ＬＥＤ）とを、任意の光量に調節できるようにした。
【０１１８】
切り換えスイッチＳＷ５を、図に実線と破線で示すとおりに、出荷時の初期設定側とユーザでの任意調節側とに切り換えが可能となっている。切り換えスイッチＳＷ５を、実線で示すとおりに、ユーザでの任意調節側に切り換えた場合では、白色光発光素子Ｌ１の調節用の可変抵抗器Ｒ１と、励起光発光素子Ｌ２の調節用の可変抵抗器Ｒ２とを個別に任意に調節できる。また、工場出荷時の最適な初期設定においては、切り換えスイッチＳＷ５を、破線で示すとおりに切り換えた場合には、白色光発光素子Ｌ１の調節用の固定抵抗器Ｒ１１と、励起光発光素子Ｌ２の調節用の固定抵抗器Ｒ２１とによって、最適な励起光と白色光のバランスに調節できる。
【０１１９】
ユーザは、切り換えスイッチＳＷ５を切り換え操作することで、出荷時の初期設定の状態と、ユーザでの任意調節とを切り換えることができる。これらの光量調整手段は、上述したいずれの実施例における各具体例のカメラ装置にも適用可能である。各可変抵抗器Ｒ１、Ｒ２とを調節することによって、照明光と励起光を同時に照射しつつ、照明光と励起光の光量バランスを切り換えることができる。なお、切り換えスイッチＳＷ５は、他のスイッチ類と同様に、カメラ本体１に設けられる。
【０１２０】
次に、図１３には、実施例３の別の具体例９が示され、図８に示された制御部１０２、点灯回路１０３、照射手段１０４、操作部１０５に相当する回路構成の一例が示されている。即ち、光源選択スイッチＳＷ１が、照射光の光源選択手段である。ＬＥＤの発光素子Ｌ１乃至Ｌ４によって、照射手段１０４の光源部が形成され、この光源部は、発光素子Ｌ１で赤外光（第１光源）、発光素子Ｌ２で白色光（照明光発光部、第２光源）、発光素子Ｌ３で紫外光１（励起光発光部、第３光源）、そして、発光素子Ｌ４で紫外光２（励起光発光部、第４光源）の４種類の、互いに波長の異なる光を照射する。
【０１２１】
この照射光の光源選択手段における複数の発光素子Ｌ１〜Ｌ４のうちから、いずれか一つ又は複数の発光素子Ｌ１〜Ｌ４を選択的に駆動させるための照射駆動手段が備えられる。この照射駆動手段は、電源１０８と各発光素子Ｌ１〜Ｌ４との間に接続される４個のアナログスイッチＳＷ−１〜ＳＷ−４と、４個の光源選択スイッチｈｓ１〜ｈｓ４と、スイッチ制御部１０９とから構成されている。
【０１２２】
第１光源選択スイッチｈｓ１のＯＮ操作で、スイッチＳＷ−１が動作して、赤外光発光素子Ｌ１を点灯駆動させることができ、同様に、第２光源選択スイッチｈｓ２のＯＮ操作で、白色光発光素子Ｌ２を、第３光源選択スイッチｈｓ３のＯＮ操作で、紫外光１発光素子Ｌ３を、そして、第４光源選択スイッチｈｓ４のＯＮ操作で、紫外光２発光素子Ｌ４をそれぞれ点灯駆動させることができる。この切り換え方式により、任意の種類の照射光を個別に又は重複して選択照射することができる。
【０１２３】
また、白色光発光素子Ｌ１の第２光源選択スイッチｈｓ２と、紫外光１発光素子Ｌ３若しくは紫外光２発光素子Ｌ４の第３光源選択スイッチｈｓ３若しくは第４光源選択スイッチｈｓ４の同時ＯＮ操作によって、照明光と励起光を同時に照射することができる。このような同時の照射により、上述したように、励起光照射による病変部の蛍光画像と、照明光の照射による病変部周辺の正常組織の反射光画像とが明瞭に視認され、病変部の位置や病変程度が的確に把握される。
【０１２４】
このように、図１３に示された具体例９の調整手段によれば、カメラ受光部近傍に設けられた照射手段に関して、照明光のみ、励起光のみ、または照明光と励起光との同時の照射を選択的に行えるだけでなく、照明光、励起光の光量の調節も出荷時の初期設定の選択を始め、各ユーザで個々に調整することができる。
【０１２５】
なお、照明光と励起光とを短いインターバルの時分割で照射するようなシーケエンスを予め定めておくと共に、その専用のスイッチをカメラ本体に設け、このスイッチ操作によって時分割照射モードを選択すれば、照射対象部位を直接視認する場合には、網膜の残像現象により、また、撮像手段を介した画像処理により、上記蛍光画像と反射光画像とが重畳し、同時照射の場合と同様の効果が得られる。また、赤外光の照射による反射光画像と組み合わせて、診断画像情報とすることもできる。
【０１２６】
図１４には、実施例３のさらに別の具体例１０による回路構成が示される。この具体例１０は、光量調整手段の別の一例を示すものである。この例では、照射光の光量調整手段として、白色光ＬＥＤなどによる照明光光源としての発光素子Ｌ１に係る光量を調節するために、発光素子Ｌ１と接地との間に、ロータリスイッチＳＷ６−１を介して異なる抵抗値を持った固定抵抗器Ｒ１１〜Ｒ１４が並列的に配置される。
【０１２７】
ロータリスイッチＳＷ６−１によって発光素子Ｌ１に択一的に選択接続されることにより、発光素子Ｌ１に異なった値の電流が供給される。励起光光源の発光素子Ｌ２についても、同様の回路構成により、励起光の光量を調節するための異なる抵抗値を持った固定抵抗器Ｒ２１〜Ｒ２４がロータリスイッチＳＷ６−２で択一的に接続され、発光素子Ｌ２に異なった値の電流が供給される。
【０１２８】
例えば、照明光光量調節用の固定抵抗器Ｒ１１〜Ｒ１４のそれぞれについて、光量が２％、３５％、７５％、１００％になるように適宜に抵抗値を設定し、また、励起光光量調節用の固定抵抗器Ｒ２１〜Ｒ２４のそれぞれについても、光量が２％、３５％、７５％、１００％になるように適宜に抵抗値を設定することができる。このような抵抗値の設定により、ロータリスイッチＳＷ６−１及びＳＷ６−２を適宜目的に応じて選択することによって、照明光と励起光とを同時に照射しつつ、照明光と励起光の光量バランスを調節することができる。
【０１２９】
まず、励起光の光量２％に設定された抵抗値を持つ固定抵抗器Ｒ２１をロータリスイッチＳＷ６−２で選定し、照明光の光量１００％に設定された抵抗値を持つ固定抵抗器Ｒ１４をロータリスイッチＳＷ６−１で選定したとき、通常の目視とほぼ同様の自然な撮影画像が得られる。ここで、例えば、齲蝕等の病変部の状態を特に視認又は撮影する場合には、励起光を光量１００％に設定された抵抗値を持つ固定抵抗器Ｒ２４を選定し、励起光が強めに照射されるようにし、照明光については、光量２％に設定された抵抗値を持つ固定抵抗器Ｒ１１を選定する。これによって、病変部周辺の正常組織は暗くなるが、蛍光を発する病変部の分布が明瞭に視認又は撮影される。
【０１３０】
また、病変部周辺の正常組織に注目する場合には、励起光の光量３５％に対応する固定抵抗器Ｒ２２をロータリスイッチＳＷ６−２で選定し、照明光の光量１００％に対応する固定抵抗器Ｒ１４をロータリスイッチＳＷ６−１で選定する。これによって、蛍光を発する病変部の位置を認識しつつ、正常組織の状況をも視認又は撮影することができる。また、病変部と病変部周辺の正常組織とを自然な色調で視認又は撮影する場合には、ロータリスイッチＳＷ６−２で励起光の光量１００％に対応する固定抵抗器Ｒ２４を選定し、ロータリスイッチＳＷ６−１で照明光の光量３５％に対応する固定抵抗器Ｒ１２を選定すると良い。こうすれば、照明光の中に蛍光が埋もれることなく、病変部と病変部周辺の正常組織が同時に明瞭に視認又は撮影できる。
【０１３１】
なお、照射手段における照明光と励起光の光量バランスを切り換える光量調整手段として、上記では、ロータリスイッチと固定抵抗器とを用いて構成したが、これに限られるものではなく、周知の様々な回路を使用することができる。
【０１３２】
また、上述した励起光と照明光の各光量の比率については、２％、３５％、７５％、１００％に限られない。症例や使用目的に合わせて、照明用光源の光量と励起光光源の光量との組み合わせを事前に任意に設定しておき、症例や使用目的に応じた選択スイッチを選択することによって、照明光光源を任意に設定した光量と励起光光源とを任意に設定した光量になるようにしたセットで、切り換えるようにしても良い。
【０１３３】
なお、本発明のカメラ装置は、一般に家庭で使用されるようなディジタルカメラ、ディジタルビデオカメラ、ディジタルカメラ機能付携帯電話機などの既存の撮影装置に組み込まれるものであり、これらに限らず、歯科用、皮膚科等の医療用の機器として開発されたカメラ装置にも採用され得るものである。
【０１３４】
また、実施例３の具体例７乃至１０では、照射のための発光手段としてＬＥＤによる発光素子を用いた例で説明したが、この他にも、レーザダイオード、又は半導体レーザ、のいずれかの発光素子を光源とすることもできる。また、この発光手段には、キセノンランプ、ハロゲンランプ、水銀ランプ、メタルハライドランプ、クリプトンランプ、又はナトリウムランプのいずれかを光源として用いることもでき、この場合には、フィルタと組み合わせて、特定波長の励起光とすることでもよい。
【図面の簡単な説明】
【０１３５】
【図１】本発明による実施例１のカメラ装置を示し、銀塩式カメラに適用した具体例１の構成を説明するための図である。
【図２】本発明による実施例１のカメラ装置を示し、ディジタルカメラに適用した具体例２の構成を説明するための図である。
【図３】本発明による実施例１のカメラ装置において、アタッチメント部材を利用した場合における具体例３に係る構成を説明するための図である。
【図４】具体例３のアタッチメント部材をカメラに装着した状態を説明するための図である。
【図５】本発明による実施例２のカメラ装置を示し、ビデオテープ又はビデオディジタルカメラに適用した具体例４の構成を説明するための図である。
【図６】本発明による実施例２のカメラ装置を示し、カメラ機能付携帯電話機に適用した具体例５の構成を説明するための図である。
【図７】本発明による実施例２のカメラ装置を示し、他のカメラ機能付携帯電話機に適用した具体例６の構成を説明するための図である。
【図８】本発明によるカメラ装置をディジタルカメラに適用した場合における照明光照射手段及び励起光照射手段の点灯駆動を行う制御システムのブロック構成を示す図である。
【図９】本発明によるカメラ装置における照明光照射手段及び励起光照射手段の点灯駆動の後にシャッター動作させる場合の手順を示すフロー図である。
【図１０】本発明によるカメラ装置における照明光照射手段及び励起光照射手段の点灯駆動をシャッター動作と連動させた場合の手順を示すフロー図である。
【図１１】本発明によるカメラ装置に適用でき、励起光と照明光との光量バランスを調節する電気回路の例を示す図である。
【図１２】本発明によるカメラ装置に適用でき、励起光と照明光との光量バランスを、工場出荷時の初期設定と、ユーザによる任意の調節とを行える電気回路の例を示す図である。
【図１３】本発明によるカメラ装置に適用でき、照射用光源の切り換え構成の一例を示す制御ブロック図である。
【図１４】本発明によるカメラ装置に適用でき、光量調整手段に係る別の電気回路の例を示す図である。
【図１５】励起光４０６ｎｍの照射に対する健康エナメル質と齲蝕エナメル質の蛍光発光状態を説明するグラフである。
【図１６】励起光４８８ｎｍの照射に対する健康エナメル質と齲蝕エナメル質の蛍光発光状態を説明するグラフである。
【図１７】口腔内の歯における異変部を説明する図である。
【符号の説明】
【０１３６】
１    カメラ本体
２、２２、３２    カメラ受光部
２１    ビデオカメラ本体
３    ファインダー
３１    携帯電話機
３１−１    表示側本体
３１−２    操作側本体
３３    フィルタ装着部
４、３４    シャッターボタン
５    白色発光ストロボ装置
６    青色発光ストロボ装置
７    白色ＬＥＤ照射手段
８    青色ＬＥＤ照射手段
９    アタッチメント部材
９１    アタッチメント受光部
９２    アタッチメント装着部
９３    アタッチメントレンズ
９４    プリズム
１０１    撮影手段
１０２    制御回路
１０３    点灯回路
１０４    照射手段
１０５    スイッチ操作部
１０６    メモリ
１０７    表示部
１０８    電源
１０９    スイッチ制御部
Ｆ    フィルタ
Ｌ１〜Ｌ４    発光素子
ＳＷ１、ＳＷ１１、ＳＷ１２    光源選択スイッチ
ＳＷ２    光量調節スイッチ
ＳＷ３    シャッタースイッチ
ＳＷ４    光源点灯スイッチ
【図１】
2006122335.tif 000003
【図２】
2006122335.tif 000004
【図３】
2006122335.tif 000005
【図４】
2006122335.tif 000006
【図５】
2006122335.tif 000007
【図６】
2006122335.tif 000008
【図７】
2006122335.tif 000009
【図８】
2006122335.tif 000010
【図９】
2006122335.tif 000011
【図１０】
2006122335.tif 000012
【図１１】
2006122335.tif 000013
【図１２】
2006122335.tif 000014
【図１３】
2006122335.tif 000015
【図１４】
2006122335.tif 000016
【図１５】
2006122335.tif 000017
【図１６】
2006122335.tif 000018
【図１７】
2006122335.tif 000019